(57)【要約】【課題】電極の積層方向が上下方向になる状態で使用されてもセパレータに電解液を含浸させることができる蓄電装置を提供すること。【解決手段】二次電池１０において、セパレータ２３は、本体部２３ａと、突出部２３ｃと、を有する。セパレータ２３のうち、非浸漬セパレータ２３Ｂの突出部２３ｃは本体部２３ａより下に位置している。非浸漬セパレータ２３Ｂのうち、下から２枚の非浸漬セパレータ２３Ｂの突出部２３ｃは電解液４０に浸かっている。そして、非浸漬セパレータ２３Ｂの突出部２３ｃの全ては、突出部２３ｃ同士で接触している。【選択図】図３
2018125139.tif 000002
【特許請求の範囲】
【請求項１】
異なる極性の方形状の電極をセパレータを介して交互に積層した構造の電極組立体と、
前記電極の一辺の一部から突出した形状のタブが同じ極性同士で積層されたタブ群と、
前記電極組立体、電解液及び前記タブ群を収容するケースと、を備え、前記電極及び前記セパレータの積層方向が上下方向となる状態に配置される蓄電装置であって、
前記セパレータは、本体部と、該本体部の少なくとも一部から突出した形状の突出部と、を有し、
前記電解液に前記本体部が浸漬されているセパレータを浸漬セパレータとして備えるとともに、前記電解液に前記本体部が浸漬されていないセパレータを非浸漬セパレータとして備え、
前記非浸漬セパレータのうち少なくとも最上部に位置する前記非浸漬セパレータにおいて前記突出部の少なくとも一部は前記本体部より下に位置し、
前記非浸漬セパレータとして、前記突出部が前記電解液に浸かっているものを少なくとも１枚、又は前記突出部が前記浸漬セパレータに接触したものを１枚備え、
前記非浸漬セパレータの前記突出部の全ては前記突出部同士で接触していることを特徴とする蓄電装置。
【請求項２】
前記突出部は、前記電極組立体における前記タブ群の存在するタブ側端面に位置している請求項１に記載の蓄電装置。
【請求項３】
両方の極性の前記タブ群は前記タブ側端面に存在し、前記突出部は、両方の前記タブ群の間に位置している請求項２に記載の蓄電装置。
【請求項４】
前記上下方向に隣り合う前記非浸漬セパレータの前記突出部同士は接着されている請求項１〜請求項３のうちいずれか一項に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、電極の積層方向が上下方向となる状態に配置される蓄電装置に関する。
【背景技術】
【０００２】
二次電池は再充電が可能であり、繰り返し使用することができるため電源として広く利用されている。一般に、二次電池はケースを備え、そのケース内に電極組立体及び電解液が収容されている。電極組立体は、正極電極、負極電極、及び正極電極と負極電極とを絶縁するセパレータを有し、正極電極と負極電極との間にセパレータを介在した積層構造になっている（例えば、特許文献１参照）。
【０００３】
また、特許文献１の二次電池において、正極電極は、金属箔製の正極タブを有し、負極電極は、金属箔製の負極タブを有する。複数枚の正極タブは重ねてタブ群とした状態で正極導電部材と電気的に接続され、その正極導電部材には正極の電極端子が接続されている。同様に、複数枚の負極タブは重ねてタブ群とした状態で負極導電部材と電気的に接続され、その負極導電部材には負極の電極端子が接続されている。
【０００４】
また、二次電池のケースは、ケース部材と、ケース部材の開口部を閉塞する蓋体と、を備える。ケース部材は、矩形板状の底壁と、底壁の一対の長側縁から立設された長側壁と、底壁の一対の短側縁から立設された短側壁と、を有し、薄型直方体状である。このような二次電池は、底壁を載置面に載置した状態で配置され、タブ群、導電部材及び電極端子がケースの上部に位置するように縦置きして使用される場合が多い。
【０００５】
縦置きされた二次電池において、電極組立体の正極電極、負極電極、及びセパレータは、ケースの底側において電解液に浸かった状態であり、各極性の活物質層、及びセパレータに電解液が含浸されている。そして、電解液中のイオンが、セパレータの細孔を通過して、正極電極と負極電極の活物質の間を往復することによって、二次電池の充放電が行われる。
【先行技術文献】
【特許文献】
【０００６】
【特許文献１】特開２０１４−６７５３２号公報
【発明の概要】
【発明が解決しようとする課題】
【０００７】
ところで、一般に、二次電池は、ケースの一方の長側壁が底となるように横置きにして使用される場合がある。この場合は、タブ群、導電部材、蓋体、及び電極端子がケースの側方に配置されるとともに、正極電極、負極電極及びセパレータの積層方向が上下方向になる。すると、電解液の液面よりも上に位置し、電解液に浸からない正極電極、負極電極及びセパレータが生じることになり、セパレータを介した正極電極と負極電極の活物質間でのイオンの往復ができなくなる虞がある。
【０００８】
本発明の目的は、電極の積層方向が上下方向になる状態で使用されてもセパレータに電解液を含浸させることができる蓄電装置を提供することにある。
【課題を解決するための手段】
【０００９】
上記問題点を解決するための蓄電装置は、異なる極性の方形状の電極をセパレータを介して交互に積層した構造の電極組立体と、前記電極の一辺の一部から突出した形状のタブが同じ極性同士で積層されたタブ群と、前記電極組立体、電解液及び前記タブ群を収容するケースと、を備え、前記電極及び前記セパレータの積層方向が上下方向となる状態に配置される蓄電装置であって、前記セパレータは、本体部と、該本体部の少なくとも一部から突出した形状の突出部と、を有し、前記電解液に前記本体部が浸漬されているセパレータを浸漬セパレータとして備えるとともに、前記電解液に前記本体部が浸漬されていないセパレータを非浸漬セパレータとして備え、前記非浸漬セパレータのうち少なくとも最上部に位置する前記非浸漬セパレータにおいて前記突出部の少なくとも一部は前記本体部より下に位置し、前記非浸漬セパレータとして、前記突出部が前記電解液に浸かっているものを少なくとも１枚、又は前記突出部が前記浸漬セパレータに接触したものを１枚備え、前記非浸漬セパレータの前記突出部の全ては前記突出部同士で接触していることを要旨とする。
【００１０】
これによれば、電極及びセパレータの積層方向が上下方向となる状態に蓄電装置が配置された状態では、非浸漬セパレータの突出部のうち電解液に直接浸かった突出部、又は浸漬セパレータに接触した突出部には電解液が染み込む。そして、非浸漬セパレータのその他の突出部それぞれには毛細管現象により電解液が染み込んでいく。その結果、電解液の液面より上にある非浸漬セパレータの本体部にも突出部から電解液が染み込んでいき、本体部に電解液を含浸させることができる。
【００１１】
また、蓄電装置について、前記突出部は、前記電極組立体における前記タブ群の存在するタブ側端面に位置していてもよい。
これによれば、ケース内において、タブ側端面と、該タブ側端面に対向したケースの内面との間の空間にタブ群が存在する。このタブ群が存在する空間はデッドスペースとなるが、このデッドスペースにセパレータの突出部を位置させた。このため、ケース内に突出部を配置するためのスペースを、タブ側端面とケースの内面との間以外に確保する必要がない。
【００１２】
また、蓄電装置について、両方の極性の前記タブ群は前記タブ側端面に存在し、前記突出部は、両方の前記タブ群の間に位置していてもよい。
これによれば、両極性のタブ群、及び突出部をタブ側端面に集めることで、ケース内において、それらタブ群及び突出部を配置するためのスペースを最小限にできる。
【００１３】
また、蓄電装置について、前記上下方向に隣り合う前記非浸漬セパレータの前記突出部同士は接着されているのが好ましい。
これによれば、蓄電装置が振動したりしても、突出部同士が接触した状態を維持でき、毛細管現象を利用して突出部から本体部に電解液を染み込ませる作用を維持できる。
【００１４】
前記蓄電装置は二次電池である。
【発明の効果】
【００１５】
本発明によれば、電極の積層方向が上下方向になる状態で使用されてもセパレータに電解液を含浸させることができる。
【図面の簡単な説明】
【００１６】
【図１】実施形態の二次電池を示す分解斜視図。
【図２】電極組立体の構成要素を示す分解斜視図。
【図３】二次電池を示す部分断面側面図。
【図４】電極組立体をタブ側端面から示す部分断面図。
【図５】別例の電極組立体を示す部分断面側面図。
【発明を実施するための形態】
【００１７】
以下、蓄電装置を二次電池に具体化した一実施形態を図１〜図４にしたがって説明する。
図１又は図３に示すように、二次電池１０はリチウムイオン二次電池であり、電気自動車の駆動源用の電源として車両に設置されている。二次電池１０は、その外郭を構成する金属製のケース１１を備えている。
【００１８】
ケース１１は、一面に開口部１２ａを備える有底直方体状のケース本体１２と、ケース本体１２の開口部１２ａを塞ぐ蓋体１３とを備えている。ケース本体１２は、長方形状の底壁１２ｂと、底壁１２ｂの対向する一対の短側縁から立設された短側壁１２ｃと、底壁１２ｂの対向する一対の長側縁から立設された長側壁１２ｄとを備える。ケース１１には、電極組立体１４及び電解液４０（図３参照）が収容されている。電極組立体１４は、ケース本体１２の内部空間が直方体形状であることに対応させて、全体として直方体形状である。二次電池１０は、車両の床下において、一方の長側壁１２ｄを載置面Ｔに載置した横置き状態に配置されている。
【００１９】
図２に示すように、電極組立体１４は、方形状としての矩形状の正極電極１５と、方形状としての矩形状の負極電極１９とを、間にセパレータ２３を介在させた状態で積層することにより構成されている。正極電極１５及び負極電極１９は本実施形態における異なる極性の電極である。なお、以下、正極電極１５、負極電極１９、及びセパレータ２３が積層された方向を積層方向とする。横置きされた二次電池１０では、積層方向は上下方向になる。
【００２０】
正極電極１５は、矩形状の正極用金属箔（例えばアルミニウム箔）１６と、その正極用金属箔１６の両面に存在する矩形状の正極活物質層１７と、を有する。正極用金属箔１６は矩形シート状の正極本体部１６ａと、正極本体部１６ａの一辺となる長辺に沿う正極縁部１６ｂの一部から突出した形状の正極集電タブ１８と、を備える。正極集電タブ１８は、正極本体部１６ａの正極縁部１６ｂの延びる方向の一端寄りに位置している。正極活物質層１７は、正極本体部１６ａの両面全面を覆う。
【００２１】
負極電極１９は、負極用金属箔（例えば銅箔）２０と、その負極用金属箔２０の両面に存在する矩形状の負極活物質層２１と、を有する。負極電極１９は、負極集電タブ２２を有する。負極用金属箔２０は、矩形シート状の負極本体部２０ａと、負極本体部２０ａの一辺となる長辺に沿う負極縁部２０ｂの一部から突出した形状の負極集電タブ２２と、を備える。負極集電タブ２２は、負極本体部２０ａの負極縁部２０ｂの延びる方向の一端寄りに位置している。負極活物質層２１は、負極本体部２０ａの両面を覆う。
【００２２】
セパレータ２３は、絶縁性を有する微多孔性フィルムであり、電気伝導に係るリチウムイオンが通過可能な多孔質膜製である。セパレータ２３は、例えば、ＰＥ（ポリエチレン）製である。本実施形態のセパレータ２３において、セパレータ２３における空隙率は４７％である。また、セパレータ２３の厚みは２５μｍである。
【００２３】
セパレータ２３は、長尺の矩形シート状のセパレータ原反を所望の大きさに裁断して製造される。本実施形態では、セパレータ材料を二方向に延伸させる湿式同時二軸延伸法によってセパレータ原反が製造されている。なお、セパレータ原反は、セパレータ材料を一方向に延伸させる湿式同時一軸延伸法によって製造されていてもよい。
【００２４】
セパレータ２３は、矩形シート状の本体部２３ａと、本体部２３ａの一辺となる長辺に沿う縁部２３ｂの一部から突出した形状の突出部２３ｃと、を備える。セパレータ原反におけるＭＤ方向は、突出部２３ｃの短手方向（横方向）であり、ＭＤ方向に直交したＴＤ方向は、突出部２３ｃの長手方向（縦方向）である。よって、縁部２３ｂからの突出部２３ｃの突出方向は、ＴＤ方向である。
【００２５】
突出部２３ｃは、縁部２３ｂの延びる方向において、縁部２３ｂの中央部から突出している。突出部２３ｃは、縁部２３ｂからの突出方向が長手方向となる矩形状である。縁部２３ｂからの突出部２３ｃの突出寸法は、電極組立体１４の積層方向への寸法より若干短い。
【００２６】
図１に示すように、正極電極１５と、負極電極１９と、セパレータ２３は、正極集電タブ１８が、積層方向に沿って列状に配置され、かつ正極集電タブ１８と重ならない位置にて負極集電タブ２２が電極の積層方向に沿って列状に配置されるように積層される。各正極集電タブ１８及び各負極集電タブ２２は、集められた（束ねられた）状態で折り曲げられている。各正極集電タブ１８が重なっている箇所を溶接することによって各正極集電タブ１８が電気的に接続されるとともに正極タブ群３０が形成されている。正極タブ群３０の各正極集電タブ１８には正極導電部材２４が接続されている。正極導電部材２４には、電極組立体１４から電気を取り出すための正極端子２５が接続されている。
【００２７】
同様に、各負極集電タブ２２が重なっている箇所を溶接することによって各負極集電タブ２２が電気的に接続されるとともに負極タブ群３１が形成されている。負極タブ群３１の各負極集電タブ２２には負極導電部材２６が接続されている。負極導電部材２６には、電極組立体１４から電気を取り出すための負極端子２７が接続されている。正極端子２５及び負極端子２７は蓋体１３を貫通してケース１１外に突出するとともに、正極端子２５及び負極端子２７は絶縁リング２８によって蓋体１３から絶縁されている。
【００２８】
図３に示すように、電極組立体１４において、セパレータ２３の突出部２３ｃは積層方向（上下方向）に集められ（束ねられ）、上下方向に隣り合う突出部２３ｃ同士が互いに重なり合い、突出部２３ｃの全ては突出部２３ｃ同士で接触している。上下方向に隣り合う突出部２３ｃ同士は、互いに重なっている箇所が接着剤によって接着されている。したがって、上下方向の一端から他端に至る全ての突出部２３ｃが接着されて一体化され、突出部群３２を構成している。突出部群３２の各突出部２３ｃは、それぞれ重力により垂れ下がる状態である。よって、最上部の突出部２３ｃを含めほとんどの突出部２３ｃは、各突出部２３ｃの先端が本体部２３ａより下に位置する状態である。なお、最下部の突出部２３ｃは水平状態にあり、本体部２３ａと同じ高さにあるが、最下部の突出部２３ｃにおいても先端が本体部２３ａより下に位置する場合もある。
【００２９】
図１又は図４に示すように、電極組立体１４は、正極タブ群３０、負極タブ群３１及び突出部群３２が存在する端面にタブ側端面１４ａを備える。タブ側端面１４ａは、正極電極１５の正極縁部１６ｂ、負極電極１９の負極縁部２０ｂ、及びセパレータ２３の縁部２３ｂが集まって形成されている。正極縁部１６ｂ、負極縁部２０ｂ及び縁部２３ｂの延びる方向を、タブ側端面１４ａの幅方向とすると、突出部群３２は、タブ側端面１４ａの幅方向中央に位置し、幅方向における正極タブ群３０と負極タブ群３１の間に位置している。
【００３０】
図３に示すように、ケース１１内において、正極タブ群３０、負極タブ群３１、及び突出部群３２は、タブ側端面１４ａと、該タブ側端面１４ａに対向した蓋体１３の内面との間の空間に存在する。この空間は、正極タブ群３０及び負極タブ群３１を配置するためのケース１１内のデッドスペースであるが、このデッドスペースに突出部群３２が配置されている。
【００３１】
横置きされた二次電池１０において、ドットハッチングで示す電解液４０の液面４０ａは、電極組立体１４の上面より下に位置する。その結果、全てのセパレータ２３のうち、液面４０ａより下にあるセパレータ２３は、本体部２３ａ及び突出部２３ｃを含め電解液４０に浸漬された状態となる。この電解液４０に浸漬されたセパレータ２３が浸漬セパレータ２３Ａとなり、電極組立体１４は複数枚の浸漬セパレータ２３Ａを有する。
【００３２】
一方、全てのセパレータ２３のうち、液面４０ａより上に本体部２３ａがあるセパレータ２３が非浸漬セパレータ２３Ｂとなり、電極組立体１４は複数枚の非浸漬セパレータ２３Ｂを有する。非浸漬セパレータ２３Ｂは、本体部２３ａが電解液４０に浸漬されていない。
【００３３】
突出部群３２では、液面４０ａより下にある複数の突出部２３ｃは、それらの全体が電解液４０に浸漬した状態である。液面４０ａより下では、複数の突出部２３ｃが電解液４０に浸かった状態で上下方向に重なり合っている。
【００３４】
一方、液面４０ａより上にある複数の突出部２３ｃには、電解液４０に一部が浸かっている複数枚の突出部２３ｃと、電解液４０に浸かっていない複数枚の突出部２３ｃとがある。電解液４０に一部が浸かった突出部２３ｃには、毛細管現象により電解液４０が染み込み、本体部２３ａにも電解液４０が染み込んでいる。
【００３５】
電解液４０に一部が浸かった突出部２３ｃより上にある突出部２３ｃ、すなわち、電解液４０に浸かっていない突出部２３ｃは、その下にある電解液４０に一部が浸かった突出部２３ｃに向けて垂れ下がり、接触している。このため、電解液４０に浸かっていない突出部２３ｃには、毛細管現象により電解液４０が染み込み、本体部２３ａにも電解液４０が染み込んでいる。そして、電解液４０に浸かっていない突出部２３ｃ同士でも、下の突出部２３ｃに電解液４０が染み込んでくると、その上の突出部２３ｃにも毛細管現象により電解液４０が染み込んでいく。よって、突出部群３２では、毛細管現象により全ての突出部２３ｃに電解液４０が染み込むことになる。したがって、非浸漬セパレータ２３Ｂの本体部２３ａにも電解液４０が染み込み、本体部２３ａに電解液４０が含浸される。
【００３６】
次に、二次電池１０の作用を記載する。
横置きされた二次電池１０において、浸漬セパレータ２３Ａと非浸漬セパレータ２３Ｂが生じるが、セパレータ２３の突出部２３ｃにおける毛細管現象を利用して、全てのセパレータ２３の本体部２３ａに電解液４０が含浸される。
【００３７】
上記実施形態によれば、以下のような効果を得ることができる。
（１）セパレータ２３に突出部２３ｃを設け、電極組立体１４のセパレータ２３の全ての突出部２３ｃは、突出部２３ｃ同士で互いに接触している。このため、二次電池１０が横置きされて非浸漬セパレータ２３Ｂが生じても、毛細管現象を利用して、電解液４０の浸かった突出部２３ｃから非浸漬セパレータ２３Ｂの突出部２３ｃに電解液４０を染み込ませることができる。その結果、非浸漬セパレータ２３Ｂの本体部２３ａにも電解液４０を含浸させることができる。よって、非浸漬セパレータ２３Ｂであっても、正極電極１５と負極電極１９の活物質間でのリチウムイオンの往復が可能になる。
【００３８】
（２）二次電池１０が横置きされた状態において、上下方向に隣り合う突出部２３ｃは互いに接着されている。このため、二次電池１０が上下方向に振動したり、左右方向に揺れたりしても、突出部２３ｃ同士が接した状態を維持できる。
【００３９】
（３）二次電池１０を横置きすると、突出部２３ｃは自重により垂れ下がる状態となる。このため、上下方向に隣り合う突出部２３ｃ同士を接触させやすい。
（４）例えば、突出部２３ｃそれぞれが本体部２３ａから立ち上がっている場合には、電解液４０は、液面４０ａから遠ざかるように突出部２３ｃの先まで染み込んだあと、突出部２３ｃを下って本体部２３ａに向けて染み込んでいくことになり、毛細管現象による電解液４０の経路が長くなってしまう。しかし、本実施形態では、全ての突出部２３ｃは自重により垂れ下がった状態にある。このため、毛細管現象により吸い上げられた電解液４０をそのまま本体部２３ａに向かわせることができ、毛細管現象による電解液４０の経路を短くして本体部２３ａに電解液４０を染み込ませやすい。
【００４０】
（５）正極タブ群３０、負極タブ群３１及び突出部群３２はタブ側端面１４ａに配置されている。したがって、正極タブ群３０、負極タブ群３１及び突出部群３２（突出部２３ｃ）をタブ側端面１４ａに集めることで、それらを配置するためのスペースを抑えることができる。
【００４１】
（６）正極タブ群３０と負極タブ群３１を配置するための空間はケース１１内ではデッドスペースである。このデッドスペースに突出部２３ｃからなる突出部群３２を配置した。このため、ケース１１内において、正極タブ群３０及び負極タブ群３１を配置するための空間以外に、突出部群３２（突出部２３ｃ）を配置するための空間を確保する必要がない。
【００４２】
（７）セパレータ２３の突出部２３ｃは、毛細管現象を利用して電解液４０を本体部２３ａに含浸させることを目的としている。このため、突出部２３ｃは、セパレータ２３の全周から突出させる必要はなく、タブ側端面１４ａにおける正極タブ群３０と負極タブ群３１の間に配置できる形状及び大きさであればよい。このため、突出部２３ｃにより、非浸漬セパレータ２３Ｂの本体部２３ａに電解液４０を含浸させることを可能にしながらも、電極組立体１４、ひいてはケース本体１２が大型化することはない。
【００４３】
なお、上記実施形態は以下のように変更してもよい。
○  実施形態では、全てのセパレータ２３に突出部２３ｃを設けたが、突出部２３ｃは全てのセパレータ２３に設けなくてもよい。図５に示すように、浸漬セパレータ２３Ａには突出部２３ｃを設けず、非浸漬セパレータ２３Ｂのみに突出部２３ｃを設ける。そして、非浸漬セパレータ２３Ｂのうち、下から２枚の非浸漬セパレータ２３Ｂの突出部２３ｃを電解液４０に浸からせた状態とし、その突出部２３ｃより上にある全ての突出部２３ｃを接触する状態とする。なお、電解液４０に浸からせる突出部２３ｃは、最も下にある１枚の突出部２３ｃだけであってもよい。
【００４４】
このように構成した場合、突出部２３ｃに染み込んだ電解液４０は、毛細管現象によってその上の突出部２３ｃに染み込み、以下、同様に全ての突出部２３ｃに染み込んでいく。その結果、非浸漬セパレータ２３Ｂの本体部２３ａにも電解液４０を含浸させることができる。
【００４５】
○  最上部に位置する非浸漬セパレータ２３Ｂの突出部２３ｃ（以下、最上部の突出部２３ｃと記載する）のみを電解液４０に向かって垂れ下がる状態とし、その最上部の突出部２３ｃの先端を電解液４０に浸からせた状態とする。そして、最上部の突出部２３ｃに対し、他の非浸漬セパレータ２３Ｂの突出部２３ｃを接触させてもよい。この場合、最上部の突出部２３ｃ以外の突出部２３ｃは、垂れ下がった状態で、最上部の突出部２３ｃに接触していてもよいし、立ち上がった状態で、最上部の突出部２３ｃに接触していてもよい。このように構成した場合、最上部の突出部２３ｃに染み込んだ電解液４０は、毛細管現象によってその他の突出部２３ｃに染み込んでいく。その結果、非浸漬セパレータ２３Ｂの本体部２３ａにも電解液４０を含浸させることができる。
【００４６】
○  実施形態において、非浸漬セパレータ２３Ｂの複数枚の突出部２３ｃのうち、最下部に位置する非浸漬セパレータ２３Ｂの突出部２３ｃの１枚だけが、電解液４０に浸かっていてもよい。
【００４７】
○  非浸漬セパレータ２３Ｂは、最上部の１枚だけであってもよい。この場合、非浸漬セパレータ２３Ｂの突出部２３ｃを電解液４０に浸からせることで、非浸漬セパレータ２３Ｂの本体部２３ａに電解液４０を含浸させることができる。
【００４８】
○  上下方向に隣り合う突出部２３ｃは、接着剤以外の方法、例えば、融着によって接着されていてもよい。
○  上下方向に隣り合う突出部２３ｃは、ステープラや縫い付け等の方法で接する状態であってもよい。
【００４９】
○  上下方向に隣り合う突出部２３ｃは、接着されていなくてもよい。
○  突出部２３ｃは、タブ側端面１４ａに存在する縁部２３ｂ以外の縁部からも突出していてもよく、本体部２３ａの全ての縁部から突出していてもよい。
【００５０】
○  突出部２３ｃは、タブ側端面１４ａに存在する縁部２３ｂから突出せず、本体部２３ａの他の縁部から突出していてもよい。要は、突出部２３ｃは電極組立体１４において、正極タブ群３０及び負極タブ群３１が位置するタブ側端面１４ａとは異なる面から突出していてもよい。
【００５１】
○  電極組立体１４のタブ側端面１４ａに、正極タブ群３０及び負極タブ群３１のいずれか一方が存在し、他方のタブ群が、タブ側端面１４ａとは異なる端面に位置していてもよい。この場合、突出部２３ｃ（突出部群３２）は、電極組立体１４において、いずれか一方のタブ群と同じ端面に位置している。
【００５２】
○  突出部２３ｃは、縁部２３ｂの複数箇所から突出していてもよい。
○  突出部２３ｃの突出する方向における寸法は、適宜変更してもよい。例えば、突出部２３ｃの全てが同じ寸法でもよいし、それぞれ異なっていてもよい。
【００５３】
○  縁部２３ｂの延びる方向に沿う突出部２３ｃの寸法は、適宜変更してもよい。
○  セパレータ２３は、正極電極１５又は負極電極１９を収容する袋状であってもよい。
【００５４】
○  正極電極１５、負極電極１９、及びセパレータ２３は矩形状以外の方形状であってもよく、例えば、五角形、六角形であってもよい。
○  二次電池１０は、底壁１２ｂが載置面Ｔに載置される状態、所謂縦置き状態で使用されてもよい。
【００５５】
○  二次電池１０は、リチウムイオン二次電池であったが、これに限らず、他の二次電池であってもよい。要するに、正極活物質と負極活物質との間をイオンが移動するとともに電荷の授受を行うものであればよい。
【００５６】
○  正極活物質層１７は正極用金属箔１６の片面だけに存在してもよいし、負極活物質層２１は負極用金属箔２０の片面だけに存在してもよい。
○  電気二重層キャパシタ等の蓄電装置に具体化してもよい。
【符号の説明】
【００５７】
１０…蓄電装置としての二次電池、１１…ケース、１４…電極組立体、１４ａ…タブ側端面、１５…電極としての正極電極、１６ｂ…一辺としての正極縁部、１８…タブとしての正極集電タブ、１９…電極としての負極電極、２０ｂ…一辺としての負極縁部、２２…タブとしての負極集電タブ、２３…セパレータ、２３ａ…本体部、２３Ａ…浸漬セパレータ、２３Ｂ…非浸漬セパレータ、２３ｃ…突出部、３０…正極タブ群、３１…負極タブ群、４０…電解液。
【図１】
2018125139.tif 000003
【図２】
2018125139.tif 000004
【図３】
2018125139.tif 000005
【図４】
2018125139.tif 000006
【図５】
2018125139.tif 000007